(57)【特許請求の範囲】
【請求項１】
シャッタ地板と補助地板の間に配置された先羽根群と後羽根群は、各々、前記二つの地板のいずれかに設けられている二つの軸に対して回転可能に取り付けられた二つのアームと、それらのアームの長さ方向に順に枢支された複数枚の羽根とで構成されていて、一方の羽根群は、前記二つのアームを前記複数枚の羽根よりも前記二つの地板の一方の地板側にして配置され、他方の羽根群は、前記二つのアームを前記複数枚の羽根よりも前記二つの地板の他方の地板側にして、前記一方の羽根群よりも該他方の地板側に配置されており、いずれの羽根群も、前記二つのアームのうち、一方のアームには、露光作動時における各々の駆動部材からの駆動力が伝達され、他方のアームには、各々のねじりコイルばねによって常に回転方向への付勢力が付与されており、それらのねじりコイルばねのうち、少なくとも前記一方の羽根群の前記他方のアームを付勢しているねじりコイルばねは、該他方のアームを取り付けている方の前記軸に対して、該他方のアーム方が前記一方の地板側となるようにして巻回されていて、その一方の腕を前記二つの地板のいずれかに掛け、他方の腕の先端に形成したフックを、前記他方のアームに対して、前記他方の羽根群側から掛けており、前記一方の地板には、前記他方のアームから突き出ている前記フックと接触しないようにするために、少なくとも該フックの作動軌跡に沿った逃げ部を形成していることを特徴とするカメラ用フォーカルプレンシャッタ。
【発明の詳細な説明】
【０００１】
【発明の属する技術分野】
本発明は、撮影に際して、先羽根群と後羽根群とを同一方向へ順次作動させ、両方の羽根群のスリット形成羽根によって形成されたスリットにより、感光面の露光を行うようにしたカメラ用のフォーカルプレンシャッタに関する。
【０００２】
【従来の技術】
最近のフォーカルプレンシャッタは、その殆どのものが、二つの地板の間に先羽根群と後羽根群とを配置していて、撮影に際しては、両方の羽根群のスリット形成羽根の間で、露光用のスリットを形成するようにしている。また、各羽根群は互いに略同じような構成をしていて、基本的には、露光開口の一方の側方位置で一方の地板に枢着された二つのアームと、横長形状をしていて二つずつの連結軸によって上記の二つのアームに順に枢支された複数枚の羽根とで構成されているが、各羽根群の相互の配置関係は逆向きであって、夫々の二つアームが隣接する地板側となり、複数枚の羽根が他方の羽根群側となるようにして配置されている。そして、それらの複数枚の羽根のうち、アームの最先端に枢支された羽根がスリット形成羽根である。
【０００３】
ところが、各羽根群は、上記のように軸と孔との連結部を多数有しており、且つそれらの連結部には夫々公差が設けられているために、そのままの構成で露光作動を行わせると、各連結部のガタツキによって極めて不安定な作動が行われ、スリット形成羽根による適正な露光制御が行えなくなってしまう。そこで、従来においては、二つのアームの一方に対して、俗にガタ寄せばねと称されているねじりコイルばねを掛け、各連結部の公差によるガタツキを最小限に抑制することによって、スリット形成羽根の作動を安定させ、適正な露光制御が行われるようにしている。そして、そのような構成の一例が、特開平１０−１８６４４９号公報に開示されている。
【０００４】
【発明が解決しようとする課題】
ところで、ガタ寄せばねとしては、上記したように、通常、ねじりコイルばねが採用されている。このガタ寄せばね（上記公報では、安定バネ１０）の付勢力は、上記の公報の図１７からも分かるように、アームを回転させる方向に働くだけではなく、ばねの軸線方向ヘも働くため、アームに掛けられているフックは、そのアームに隣接する地板面に常に圧接させられ、作動に際しては、その地板面を摺動することになる。また、その圧接力を緩和させるために、フックを形成している腕の姿勢を、軸線に対して略垂直に（地板面に対して略水平に）保つようにすることも可能であるが、その場合でも、フックは折り曲げ形状をしているため、どうしても地板面に接触し、摺動するようになってしまう。その結果、その摺動によって生じる摩擦抵抗力が、各羽根群の露光作動を遅くする要因となってしまったり、磨耗，塵埃，汚れ，振動等の影響によって作動が不安定となり、露光制御の精度維持を困難にする要因となっていた。
【０００５】
他方、シャッタの小型化に対する要求は、シャッタ全体の平面的な外形寸法を小さくすることだけではなく、ミラーボックス等を設置する必要がある関係で、上記した二つの地板の間隔を、各羽根群の作動に影響を与えない範囲で、可能な限り小さくすることが要求されている。しかしながら、上記のような構成では、二つの地板の間隔を小さくすることについての要求には、直ちに応えることができない。何故ならば、二つの地板の間隔を狭くすれば、ガタ寄せばねのフックが地板に対して一層強い力で接することになり、上記した摩擦抵抗力が大きくなってしまうからである。
【０００６】
また、そのために、ガタ寄せばねのフックを、アームの反対側から掛けるようにすることも考えられるが、そのようにすると、二つの地板間に存在する他の部材の形状等に影響を与えてしまうほか、後述の実施例の説明において具体的に述べるように、組立作業上も若干不利になったり、かえって小型化には不利になってしまうということもある。特に、そのようなフックの掛け方を、二重遮光方式のシャッタに採用した場合には、ガタ寄せばねを掛けている両方の羽根群のアームが相対的に交差するようにして作動することになるため、一方のガタ寄せばねのフックの先端が、他方の羽根群のアームに干渉したり、他方の羽根群のガタ寄せばねに干渉してしまうことになってしまう。
【０００７】
本発明は、このような問題点を解決するためになされたものであり、その目的とするところは、少なくとも一方の羽根群のガタ寄せばねのフックが、他方の羽根群側からアームに掛けられるようにしたとしても、そのフックが地板に接触しないようにすることによって、安定した露光精度が得られ且つ小型化をもし易いようにしたカメラ用フォーカルプレンシャッタを提供することである。
【０００８】
【課題を解決するための手段】
上記の目的を達成するために、本発明のカメラ用フォーカルプレンシャッタは、シャッタ地板と補助地板の間に配置された先羽根群と後羽根群は、各々、前記二つの地板のいずれかに設けられている二つの軸に対して回転可能に取り付けられた二つのアームと、それらのアームの長さ方向に順に枢支された複数枚の羽根とで構成されていて、一方の羽根群は、前記二つのアームを前記複数枚の羽根よりも前記二つの地板の一方の地板側にして配置され、他方の羽根群は、前記二つのアームを前記複数枚の羽根よりも前記二つの地板の他方の地板側にして、前記一方の羽根群よりも該他方の地板側に配置されており、いずれの羽根群も、前記二つのアームのうち、一方のアームには、露光作動時における各々の駆動部材からの駆動力が伝達され、他方のアームには、各々のねじりコイルばねによって常に回転方向への付勢力が付与されており、それらのねじりコイルばねのうち、少なくとも前記一方の羽根群の前記他方のアームを付勢しているねじりコイルばねは、該他方のアームを取り付けている方の前記軸に対して、該他方のアーム方が前記一方の地板側となるようにして巻回されていて、その一方の腕を前記二つの地板のいずれかに掛け、他方の腕の先端に形成したフックを、前記他方のアームに対して、前記他方の羽根群側から掛けており、前記一方の地板には、前記他方のアームから突き出ている前記フックと接触しないようにするために、少なくとも該フックの作動軌跡に沿った逃げ部を形成しているようにする。
【０００９】
【発明の実施の形態】
本発明の実施の形態を、図１〜図１６に示した実施例によって説明する。尚、本実施例は、本発明を二重遮光方式のフォーカルプレンシャッタに適用したものである。そして、図１は、被写体側、即ち撮影レンズ側から視たセット状態の平面図であって、図２〜図８は、セット状態における実施例の各構成部品の平面図であり、図９は、図１の部分的な左側面図である。また、図１０は、図１がシャッタ全体を示していて細部が見にくいために、図１の左側の部分だけを拡大し、周知の先羽根用駆動部材と、後羽根用駆動部材と、各羽根群の羽根とを取り外して示した平面図である。更に、図１１〜図１６は、実施例の作動を説明するために示した平面図である。そして、図１１は二重遮光状態が解除された後の後羽根群の作動途中の状態を示し、図１２は図１１に示した状態の直後の状態を示し、図１３は露光作動開始直前の状態を示し、図１４は露光作動中における露光開口の全開状態を示し、図１５は露光作動終了直後の状態を示し、図１６はセット作動の過程におけるセット部材と後羽根群との関係を拡大して示したものである。
【００１０】
先ず、本実施例の構成を、主に図１〜図１０を用いて説明するが、説明の便宜上、各構成部材のレンズ側を表面側と称し、フィルム面側を背面側と称することにする。図２は、主に、本実施例のシャッタ地板１を示したものである。このシャッタ地板１は合成樹脂製であって、略中央部には開口部１ａが形成されており、その左側の側方位置には四つの円弧状の長孔１ｂ，１ｃ，１ｄ，１ｅが形成されている。そして、長孔１ｂの下端部と、長孔１ｃの上下端部には、周知のようにして、平面形状がＣ字状をしているブチルゴム製の緩衝部材２，３，４が取り付けられている。また、シャッタ地板１の表面側には、軸１ｆ，１ｇ，１ｈ，１ｉが立設されている。それらのうち、軸１ｆ，１ｇ，１ｈは、根元側に、後述する各回転部材の座部が形成されており、先端側には、小径部が形成されている。更に、軸１ｈ，１ｉの先端面には、ねじ孔１ｈ1，１ｉ1が形成されている。
【００１１】
このシャッタ地板１の背面側には、周知のように開口部１ａを囲むようにして、座ぐり部１ｊが形成されている。また、開口部１ａの右側は肉厚部１ｋとして形成されており、表面側は基準面と同一面になっているが、背面側は基準面よりも隆起した面となっている。また、その肉厚部１ｋの右側の上下位置には、係合部１ｋ1，１ｋ2が形成されている。そして、開口部１ａの上下位置の背面側には隆起した肉厚部１ｋの面と基準面との間に、斜面１ｋ3，１ｋ4が形成されている。また、シャッタ地板１の左上隅には、背面側に厚さの異なる二つの肉厚部１ｍ，１ｎが形成されていて、厚い方の肉厚部１ｍの段面には直方体をした緩衝部材５が、接着剤によって取り付けられている。更に、開口部１ａの下方位置には背面側に二つの棚部１ｐ，１ｑが形成されていて、夫々の上面に、直方体の緩衝部材６，７が接着剤によって取り付けられている。
【００１２】
シャッタ地板１の背面側には、更に、軸１ｒ，１ｓ，１ｔ，１ｕ，１ｖ，１ｗ，１ｘ，１ｙが立設されていて、それらのうち、軸１ｒ，１ｔ，１ｖは、表面側に立設された軸１ｆ，１ｇ，１ｉと同心的に配置されている。また、軸１ｗには、先端面にねじ孔１ｗ1が形成されている。実際には、軸１ｖの先端面にも、同様にしてねじ孔が形成されているが、図面上では軸１ｉと重なってしまうため、明示されていない。そして、軸１ｗには、所定の厚さを有している環状の緩衝部材８が、接着剤によって取り付けられている。更に、軸１ｘ，１ｙの先端部の周囲には環状に溝が形成されており、また、軸１ｘの根元側には、間座部１ｘ1が形成されている。
【００１３】
次に、シャッタ地板１の表面側に取り付けられている構成部材を、主に図３及び図４を用いて説明する。既に説明したように、シャッタ地板１の軸１ｆ，１ｇ，１ｈの先端部には小径部が形成されていて、更に、軸１ｈ、１ｉの先端面には、ねじ孔１ｈ1，１ｉ1が形成されている。そこで、それらの小径部に対して、シャッタ地板１側から順に、先ず、支持板９（図３（ｃ）参照）の孔９ａ，９ｂ，９ｃを嵌合させ、次に、プリント配線板１０（図３（ｂ）参照）の孔１０ａ，１０ｂ，１０ｃを嵌合させた後、ネジ１１，１２（図３（ａ）参照）を、軸１ｈ，１ｉのねじ孔１ｈ1，１ｉ1に螺合させるようにしている。
【００１４】
また、支持板９には、折り曲げ加工によって、爪部９ｅ，９ｆ、ばね掛け部９ｇ、取付部９ｈ，９ｉが形成されている。そして、この取付部９ｈ，９ｉは、極めて複雑な形状をしているが、本発明とは直接関係がないため、詳しい説明を省略することにする。それらの取付部９ｈ，９ｉには、夫々、シャッタ地板１側に、先羽根用電磁石１３と後羽根用電磁石１４が取り付けられている。そして、各電磁石１３，１４は、鉄芯１３ａ，１４ａとコイル１３ｂ，１４ｂを有していて、コイル１３ｂ，１４ｂの各二つの端子は、プリント配線板１０に接続されるようになっている。
【００１５】
シャッタ地板１と支持板９との間において、軸１ｆには先羽根用駆動部材１５が、また、軸１ｇには後羽根用駆動部材１６が、夫々、回転可能に取り付けられている。また、それらの軸１ｆ，１ｇの小径部には、ラチェット車１７，１８が回転可能に取り付けられている。図４（ｃ）に示されているように、先羽根用駆動部材１５は、合成樹脂製であって、上記の軸１ｆに回転可能に嵌合させる筒部１５ａと、駆動ピン１５ｂと、取付部１５ｃとを有していて、背面側にはローラ１９を回転可能に取り付けている。また、駆動ピン１５ｂは、シャッタ地板１の長孔１ｂを貫通して、背面側に突き出ており、取付部１５ｃには、先羽根用電磁石１３の鉄芯１３ａに吸着される鉄片部材２０が取り付けられているが、この鉄片部材２０の具体的な構成については後述する。
【００１６】
先羽根用駆動部材１５の筒部１５ａには、図４（ｂ）に示した先羽根用駆動ばね２１が、図９に示すようにして嵌装されており、その一端が上記した取付部１５ｃの一部に掛けられ、その他端がラチェット車１７のばね掛け部１７ａ（図４（ａ）参照）に掛けられている。しかし、ラチェット車１７は、その歯部１７ｂが支持板９の爪部９ｅに噛合し、図４（ａ）において反時計方向ヘの回転を阻止されているため、先羽根用駆動ばね２１は、図４（ｃ）に示された先羽根用駆動部材１５を時計方向ヘ回転させるように付勢している。そして、その付勢力の調整は、爪部９ｅとラチェット車１７の噛合位置を変えることによって行えるようになっている。
【００１７】
他方、軸１ｇに回転可能に取り付けられている後羽根用駆動部材１６（図４（ｃ）参照）も、先羽根用駆動部材１５と同様に合成樹脂製であって、上記の軸１ｇに回転可能に嵌合される筒部１６ａと、駆動ピン１６ｂと、取付部１６ｃとを有していて、背面側にはローラ２２を回転可能に取り付けている。また、駆動ピン１６ｂは、シャッタ地板１の長孔１ｃを貫通して、背面側に突き出ており、その突き出した部分には平らな押動面１６ｂ1が形成されている。更に、取付部１６ｃには、後羽根用電磁石１４の鉄芯１４ａに吸着される鉄片部材２３が取り付けられている。そして、この鉄片部材２３の具体的な構成については、上記した鉄片部材２０の構成と併せて後述する。
【００１８】
また、後羽根用駆動部材１６の筒部１６ａには、図４（ｂ）に示した後羽根用駆動ばね２４が嵌装されており、その一端が上記した取付部１６ｃの一部に掛けられ、その他端がラチェット車１８のばね掛け部１８ａ（図４（ａ）参照）に掛けられている。しかし、ラチェット車１８は、その歯部１８ｂが支持板９の爪部９ｆに噛合し、図４（ａ）において反時計方向ヘの回転を阻止されているため、後羽根用駆動ばね２４は、図４（ｃ）に示された後羽根用駆動部材１６を、時計方向ヘ回転させるように付勢している。尚、その付勢力の調整については、上記の先羽根用駆動ばね２１の場合に準じて行われる。
【００１９】
ここで、上記した二つの鉄片部材２０，２３の具体的な取付け構成を説明しておく。図１１は、各駆動部材１５，１６の取付部１５ｃ，１６ｃの一部を切断することによって、鉄片部材２０，２３の取付け構成を理解し易いように示している。即ち、鉄片部材２０，２３は、上記した各電磁石１３，１４の鉄芯１３ａ，１４ａに吸着される鉄片部２０ａ，２３ａと、軸部２０ｂ，２３ｂと、頭部２０ｃ，２３ｃとで構成されていて、軸部２０ｂ，２３ｂの軸方向に移動し得るようにして取り付けられている。そして、圧縮ばね２５，２６によって、鉄片部２０ａ，２３ａを、取付部１５ｃ，１６ｃから突き出す方向ヘ付勢されている。
【００２０】
シャッタ地板１と支持板９との間において、軸１ｈには、図４（ｅ）に示されているセット部材２７が、回転可能に取り付けられている。このセット部材２７は、合成樹脂製であって、上記の軸１ｈに回転可能に嵌合される筒部２７ａと、押動部２７ｂ，２７ｃと、被押動部２７ｄと、ばね掛け部２７ｅと、ピン２７ｆを有している。また、セット部材２７の筒部２７ａには、図４（ｄ）に示した復帰ばね２８が、図９に示すようにして嵌装されており、その一端を、ばね掛け部２７ｅに掛け、他端を、上記した支持板９のばね掛け部９ｇに掛けることによって、セット部材２７を、図４（ｅ）において、反時計方向ヘ回転させるように付勢している。そして、その復帰ばね２８によるセット部材２７の回転は、シャッタ地板１の長孔１ｄに挿入されたピン２７ｆが、その長孔１ｄの右側の端面に当接することによって停止されるようになっている。
【００２１】
尚、セット部材２７については、上記のようにしてピン２７ｆが長孔１ｄの右側の端面に当接し停止している位置を、以後、初期位置と称することにする。また、復帰ばね２８によって回転されるセット部材２７を停止させるために、セット部材２７にこのようなピン２７ｆを設けること自体は周知である。しかし、本実施例においては、このピン２７ｆが、従来のピンよりも長く形成されており、羽根室内にまで延伸させることによって、二重遮光機能に関与することになっているが、そのことについては、後述する他の部材の構成説明と、実施例の作動説明から理解することが可能になる。
【００２２】
以上の説明で、シャッタ地板１自身と、主にシャッタ地板１の表面側に取り付けられる部材の構成説明を終わり、以後は、シャッタ地板１の背面側に取り付けられる部材と、その取付け構成について説明することにするが、先ずは、その背面側の全体構成について、説明をしておく。シャッタ地板１の背面側には、夫々、所定の間隔を空けて中間板３６（図６参照）と補助地板４６（図８（ｂ）参照）とが取り付けられ、シャッタ地板１と中間板３６との間が後羽根群（図５（ａ）参照）の羽根室となり、中間板３６と補助地板４６との間が先羽根群（図７（ａ）参照）の羽根室となっている。また、中間板３６と補助地板４６にも、略中央部に開口部３６ａ，４６ａが形成されており、シャッタ地板１の開口部１ａをそれらと重ね合わせることによって、長方形を横長にした露光開口が形成されるようになっている。
【００２３】
そこで、先ず、図５（ａ）に示された後羽根群について説明する。後羽根群は、二つのアーム２９，３０と、それらの長さ方向に順に枢支された４枚の羽根３１，３２，３３，３４で構成されていて、最先端に枢支された羽根３４がスリット形成羽根である。各羽根の枢支は、周知のように、リベット部品である連結軸を用いて行われている。即ち、アームと羽根とに形成されている孔に、連結軸をアーム側から挿入し、その挿入端を、羽根にかしめて固定している。従って、この後羽根群の場合には、二つのアーム２９，３０が、各羽根３１，３２，３３，３４よりもシャッタ地板１側に配置されていて、それらのアーム２９，３０から、各連結軸の頭が、シャッタ地板１側に突き出た構成をしていることになる。
【００２４】
このような枢支構成自体は周知である。しかし、本実施例の特徴は、アーム２９，３０の形状にある。即ち、アーム２９は、後羽根群の主アームであって、孔２９ａを、シャッタ地板１の軸１ｔに回転可能に嵌合させているが、羽根３１の枢支部の近傍には、被押動部２９ｂが形成されていて、既に説明した後羽根用駆動部材１６の駆動ピン１６ｂに形成された押動面１６ｂ1が、その被押動部２９ｂを押し得るようになっている。もう一つのアーム３０は、従アームであって、孔３０ａを、シャッタ地板１の軸１ｕに回転可能に嵌合させており、先端部には張出部３０ｂが形成されている。また、先端部方向に延伸させた腕部３０ｃとの間において、先端部方向に開口した長溝３０ｄを形成している。そして、その腕部３０ｃの先端には、既に説明したセット部材２７のピン２７ｆに摺接し、そのピン２７ｆが長溝３０ｄ内に入り込み易いようにするための傾斜面３０ｃ1が形成されている。
【００２５】
この後羽根群の従アーム３０には、もう一つの孔３０ｅが形成されていて、そこに、図５（ｂ）に示したセットばね３５が掛けられている。即ち、セットばね３５は、シャッタ地板１の軸１ｕに嵌装されていて、その一方の腕をシャッタ地板１の軸１ｓに掛け、他方の腕の先端に形成されたフックを従アーム３０の孔３０ｅに掛けることによって、従アーム３０を、反時計方向ヘ回転させるように付勢している。従アーム３０に対して、このようにして、ばねを掛けること自体は、従来からも行われている。しかし、従来のばねは、各枢支部のガタ寄せを行うだけの目的で配置されていたが、本実施例のセットばね３５の場合には、ガタ寄せを行う目的のほかに、後述の説明から分かるように、後羽根群全体を露光作動開始位置まで作動させる目的をも有しているため、その付勢力は、ガタ寄せを行うだけの場合よりも大きく設定されている。そして、孔３０ｅに掛けられているフックの一部は、図９からも分かるように、シャッタ地板１には接触せず、長孔１ｅの中を移動するようになっている。
【００２６】
ところで、シャッタ地板１に対して、このような後羽根群を組み付ける場合、通常は、シャッタ地板１を、その表面側を下にして治具の上に置いておき、軸１ｔ，１ｕに対して、アーム２９，３０の孔２９ａ，３０ａを上から嵌合させるようにしている。このとき、セットばね３５を、予め軸１ｕに嵌装させておき、そのフックを、シャッタ地板１側から孔３０ｅに掛けるようにすることも設計上は可能である。しかしながら、そのような構成には問題がある。
【００２７】
即ち、上記したように、アーム２９，３０は、羽根３１、３２，３３，３４よりもシャッタ地板１側にある。そのため、セットばね３５の巻回部の高さ（軸線に沿う方向の長さ）分だけ、従アーム３０の枢着部がシャッタ地板１から離されて、従アーム３０が撓んでしまうからである。また、撓ませないようにするために、主アーム２９の枢着部も従アーム３０と同様にシャッタ地板１から離し、且つ両アーム２９，３０の平面をシャッタ地板１の面に対して平行に組みつけることができるように設計すると、それに応じてシャッタ地板１と補助地板４６の間隔を大きくせざるを得なくなり、シャッタの小型化に対する要求に応えられなくなってしまうからである。更に、本実施例のように二重遮光方式のシャッタとした場合には、後述の作動説明からも分かるように、後羽根群の従アーム３０と、後述の先羽根群の従アーム３８とが交差状態で作動するため、セットばね３５のフックが、その従アーム３８や、後述の羽根３９，ガタ寄せばね４３に接触してしまうというような事態も発生してしまうことになる。
【００２８】
そこで、それらのようなことが生じないようにするために、セットばね３５の巻回部を補助地板４６側に配置したままにしておき、セットばね３５の巻回部から延伸している腕部を折り曲げてシャッタ地板１側に引き回すようにし、フックをシャッタ地板１側から従アーム３０の孔３０ｅに掛けるようにすることも考えられる。しかしながら、そのようにした場合には、セットばね３５の製作が面倒になるばかりでなく、明らかに組み付け作業も面倒になってしまう。
【００２９】
そこで、従来のように、ガタ寄せの目的だけで設けられていたばねの場合にも、予め後羽根群を軸１ｔ，１ｕに組み付けた後に、ガタ寄せばねを軸１ｕに嵌装し、その一端のフックを、シャッタ地板１とは反対側から孔３０ｅに掛けるようにしていた。即ち、孔３０ｅに掛けたガタ寄せばねのフックは、端部がシャッタ地板１側に突き出るようになっていて、シャッタ地板１に接触するようになっていた。従って、本実施例のセットばね３５の場合にも、ガタ寄せばねであることには変わりがないので、従来のガタ寄せばねの場合と同様にして組みつけられている。しかしながら、本実施例の場合には、シャッタ地板１に長孔１ｅが形成されているので、セットばね３５のフックは、シャッタ地板１に接触していない。尚、本実施例の長孔１ｅは貫通孔であるが、その一部を開口させた長溝として形成してもよいし、フックに接触しなければ、貫通していない窪みとして形成してもよく、作用効果は同等である。
【００３０】
更に、既に述べたように、本実施例は二重遮光方式のシャッタに本発明を実施したものであるが、その場合には、後述の作動説明からも分かるように、露光作動時には、セットばね３５の付勢力が、その露光作動に逆らうように作用するため、通常のガタ寄せばねよりは大きい付勢力を有しているとはいえ、それほど大きく設定されているわけではない。そのため、セットばね３５のフックがシャッタ地板１に接するようなことがあると、後羽根群を、所定時間内に、二重遮光位置から露光作動開始位置まで作動させることができなくなる可能性がある。しかし、本実施例においては、上記のようにフックがシャッタ地板１に接触していないので、そのような事態は生じない。
【００３１】
次に、図６を用いて中間板３６について説明する。中間板３６の略中央部には、既に説明した開口部３６ａが形成されており、その開口部３６ａの左側には二つの円弧状の長孔３６ｂ，３６ｃが形成され、また、開口部３６ａの右側には二つの孔３６ｄ，３６ｅが形成されている。そのうち、長孔３６ｂ，３６ｃは、上記した各駆動部材１５，１６の駆動ピン１５ｂ，１６ｂを貫通させており、それによって、駆動ピン１５ｂの場合には、中間板３６の背面側の羽根室で、後述する先羽根群と連結することが可能になっている。また、駆動ピン１６ｂの場合には、長さが短いと、上記した後羽根群の主アーム２９の被押動部２９ｂを確実に押動できない場合が生じてしまうが、長孔３６ｃを貫通させていることによって、確実に押動できるようになっている。
【００３２】
また、孔３６ｄ，３６ｅは、シャッタ地板１の軸１ｘ，１ｙに嵌合させるためのものである。そして、本実施例においては、この中間板３６とシャッタ地板１との間隔は、数カ所で維持されるようになっている。即ち、開口部３６ａの上方位置は、後羽根群の４枚の羽根３１，３２，３３，３４が重畳状態となるので、それに必要な間隔が、孔３６ｄの縁を間座部１ｘ1に接触させ、且つ張出部３６ｆを肉厚部１ｎに接触させることによって、得られるようになっている。また、開口部３６ａの下方位置は、上方位置よりも間隔が狭くて良く、本実施例の場合には、シャッタ地板１の棚部１ｐ，１ｑがその役目をしている。
【００３３】
更に、中間板３６とシャッタ地板１との間隔は、光軸の左側、即ち開口部３６ａの中央部より左側の位置においては、羽根３１，３２，３３，３４の厚さのほか、アーム２９，３０の厚さや、各羽根を取付けるための連結軸の頭の突出し量を考慮して決める必要があるが、開口部３６ａの右側においては、羽根３１，３２，３３，３４の厚さだけを考慮して決めることになる。そのため、通常、その右側の位置には、後述する先羽根用押さえ板４５と似た形状の後羽根用押さえ板と称されている部材を配置し、間隔を狭くしているが、本実施例においては、シャッタ地板１に肉厚部１ｋが形成されているので、そのような部材は配置されていない。
【００３４】
上記のような中間板３６の背面側には、図７（ａ）に示すような先羽根群が配置されている。この先羽根群は、従来の先羽根群と全く同じ構成をしていて、主アーム３７と、従アーム３８と、周知の連結軸を介してそれらに枢支された４枚の羽根３９，４０，４１，４２とで構成されており、羽根４２がスリット形成羽根となっている。そして、それらの重なり関係は、上記した後羽根群の場合とは逆であって、主アーム３７，従アーム３８が後述する補助地板４６側に配置され、各連結軸の頭は補助地板４６側に突き出ている。
【００３５】
また、主アーム３７には、二つの孔３７ａ，３７ｂが形成され、従アーム３８にも、二つの孔３８ａ，３８ｂが形成されている。そして、孔３７ａ，３８ａは、シャッタ地板１の軸１ｒ，１ｓに回転可能に嵌合されており、孔３７ｂには、先羽根用駆動部材１５の駆動ピン１５ｂが嵌合されている。また、図７（ｂ）に示されているガタ寄せばね４３は、従アーム３８を軸１ｓに嵌合させる前に、軸１ｓに嵌装されており、その一端を軸１ｕに掛け、他端のフックを従アーム３８の孔３８ｂに掛けることによって、従アーム３８を反時計方向ヘ回転させるように付勢している。従って、ガタ寄せばね４３のフックの先端は、補助地板４６側となっているが、後述の説明から分かるように、補助地板４６には接触しないようになっている。尚、このガタ寄せばね４３は、ガタ寄せだけの役目をするものであるため、図９から分かるように、上記したセットばね３５よりも細い線材で製作されている。
【００３６】
更に、上記した中間板３６の背面側において、シャッタ地板１の軸１ｙに、図７（ｃ）に示された間座４４が嵌合されている。また、その次に、図８（ａ）に示された先羽根用押さえ板４５が、その孔４５ａ，４５ｂを、シャッタ地板１の軸１ｘ，１ｙに嵌合させている。そして、上記した先羽根群の各羽根３９，４０，４１，４２の先端部は、その先羽根用押さえ板４５と中間板３６との間で作動するようになっている。このうち、間座４４は、先羽根群の４枚の羽根３９，４０，４１，４２が露光開口の下方位置で重畳状態となれる間隔を確保するためのものである。また、先羽根用押さえ板４５は、シャッタ地板１の肉厚部１ｋと同じ役目をするものであって、後述する補助地板４６が合成樹脂で製作された場合には、先羽根用羽根押さえ板４５に代えて、補助地板４６に肉厚部を形成するようにしても差し支えない。
【００３７】
図８（ｂ）には、本実施例の補助地板４６が示されている。この補助地板４６は、金属製であって、略中央部に、既に説明した開口部４６ａが形成されている。また、その開口部４６ａの左側には、三つの孔４６ｂ，４６ｃ，４６ｄと、三つの折曲部４６ｅ，４６ｆ，４６ｇと、逃げ溝４６ｓが形成されている。これらのうち、孔４６ｃは、シャッタ地板１の軸１ｕの先端が挿入される孔であり、折曲部４６ｅ，４６ｆ，４６ｇは、中間板３６との間隔が適正に保たれるようにするためのものである。また、逃げ溝４６ｓは、上記したガタ寄せばね４３のフックが接触しないようにするために設けられたものであり、その目的が果たせるなら、貫通した長孔として形成されていても、貫通していない窪みとして形成されていても差し支えない。
【００３８】
補助地板４６の開口部４６ａの略右側には、鍵穴を横にしたような二つの孔４６ｈ，４６ｉと、二つのフック部４６ｊ，４６ｋと、三つの突出し部４６ｍ，４６ｎ，４６ｐと、折曲部４６ｑとが形成されている。このうち、突出し部４６ｍ，４６ｎ，４６ｐは、先羽根用押さえ板４５を支えるためのものであり、折曲部４６ｑには直方体の緩衝部材４７が接着剤によって取り付けられている。更に、開口部４６ａの下側には、折曲部４６ｒが形成されていて、その上面に、長い直方体をした緩衝部材４８が、同じく接着剤によって取り付けられている。
【００３９】
次に、この補助地板４６の取付け方について説明する。既に説明したように、シャッタ地板１の軸１ｖ，１ｗの先端面にはねじ孔が形成されていて、軸１ｘ，１ｙの先端部周囲には環状に溝が形成されている。そこで、先ず、孔４６ｈ，４６ｉの左側の大きな開口部を、軸１ｘ，１ｙに嵌合させ、次に、補助地板４６を左側に移動させることによって、右側の小さな開口部の縁を、上記した環状の溝に入り込ませる。そして、この状態で、孔４６ｃを軸１ｕに嵌合させ、フック部４６ｊ，４６ｋを係合部１ｋ1，１ｋ2に引っ掛ける。その後、図８（ｃ）に示されたネジ４９，５０を孔４６ｂ，４６ｄに通して、軸１ｖ，１ｗのねじ孔に螺合させるようにする。
【００４０】
次に、本実施例の作動を説明する。図１及び図１０は、シャッタのセット状態を示している。即ち、セット部材２７が、図示していないカメラ本体側の部材によって、被押動部２７ｄを押され、復帰ばね２８の付勢力に抗して時計方向ヘ回転された後、上記のカメラ本体側の部材の停止によって、そのセット位置を保たされている状態である。そのため、先羽根用駆動部材１５，後羽根用駆動部材１６は、先羽根用駆動ばね２１，後羽根用駆動ばね２４の付勢力に抗して、反時計方向ヘ回転された状態にあり、鉄片部材２０，２３の鉄片部２０ａ，２３ａは、各電磁石１３，１４の鉄芯１３ａ，１４ａに接触させられている。そして、理由は後述のセット作動の説明から理解されるが、鉄片部材２０，２３は、圧縮ばね２５，２６を圧縮させ、鉄片部２０ａ，２３ａが取付部１５ｃ，１６ｃの中に若干押し込まれ、反対側の頭部２０ｃ，２３ｃが取付部１５ｃ，１６ｃから離れた状態になっている。
【００４１】
また、この状態においては、先羽根用駆動部材１５の駆動ピン１５ｂが、先羽根群の主アーム３７を反時計方向ヘ回転させているので、４枚の羽根３９，４０，４１，４２は展開状態となって、露光開口を完全に覆っている。他方、後羽根用駆動部材１６も、上記したように反時計方向ヘ回転されているので、それに伴って駆動ピン１６ｂの位置が移動させられているが、図１０から分かるように、セット部材２７のピン２７ｆが後羽根群の従アーム３０の長溝３０ｄに入っているため、従アーム３０はセットばね３５の付勢力によって反時計方向ヘ回転できない状態にある。そのため、主アーム２９の被押動部２９ｂは、駆動ピン１６ｂの移動に追従できず、後羽根群の４枚の羽根３１，３２，３３，３４は、展開状態のままで、露光開口を完全に覆った状態となっている。従って、このセット状態においては、露光開口は、先羽根群の羽根３９，４０，４１，４２と、後羽根群の羽根３１，３２，３３，３４によって、二重に覆われていることになる。
【００４２】
このようなセット状態において、カメラのレリーズボタンが押されると、先ず、先羽根用電磁石１３のコイル１３ｂと後羽根用電磁石１４のコイル１４ｂに通電され、それらの鉄芯１３ａ、１４ａに接触していた鉄片部材２０，２３が磁力によって吸着保持される。その後、図示していないカメラ本体側の部材が、セット部材２７の被押動部２７ｄの押圧力を解いていくので、セット部材２７は、図１０に示された状態から、復帰ばね２８の付勢力によって追従し、初期位置へ向けて、反時計方向ヘ回転されていく。
【００４３】
このようにして、図１０の状態から、セット部材２７が反時計方向ヘ回転すると、セット部材２７のピン２７ｆが、後羽根群の従アーム３０の長溝３０ｄから脱出し、セット部材２７の押動部２７ｂ，２７ｃが各駆動部材１５，１６のローラ１９，２２から離れていくことになる。そのため、先ず、従アーム３０はセットばね３５の付勢力によって、反時計方向ヘ急速に回転される。そのため、主アーム２９も反時計方向ヘ回転され、後羽根群の４枚の羽根３１，３２，３３，３４は、相互の重なり量を大きくしつつ上方へ移動し、露光開口の上方位置に、重畳状態となって格納されていく。
【００４４】
他方、先羽根用駆動部材１５，後羽根用駆動部材１６は、先羽根用駆動ばね２１，後羽根用駆動ばね２４の付勢力によって時計方向ヘ回転されるが、鉄片部材２０，２３が各電磁石１３，１４によって吸着保持されているので、各取付部１５ｃ，１６ｃが鉄片部材２０，２３の頭部２０ｃ，２３ｃに当接することによって停止する。従って、この段階における各駆動部材１５，１６の回転は極めて僅かなものであるため、先羽根群の羽根３９，４０，４１，４２も僅かに動くものの、依然として露光開口を覆ったままである。そして、各駆動部材１５，１６が略このような状態になったところへ、上記した後羽根群が作動をしてきて、主アーム２９の被押動部２９ｂが、後羽根用駆動部材１６の駆動ピン１６ｂの押動面１６ｂ1に当接する。その状態が図１１に示されているが、このとき、主アーム２９は、未だ緩衝部材５に当接しておらず、反時計方向ヘの回転作動の途中ということになる。
【００４５】
ところで、言うまでもなく、セットばね３５の付勢力は、後羽根用駆動ばね２４の付勢力よりも弱い。しかしながら、主アーム２９の被押動部２９ｂが後羽根用駆動部材１６の駆動ピン１６ｂに当接する段階になると、後羽根群に大きな慣性が作用しているため、後羽根用駆動部材１６は、図１１の状態から、後羽根用駆動ばね２４と圧縮ばね２６の付勢力に抗して、反時計方向ヘ回転されることになる。そして、主アーム２９が緩衝部材５に当接し、４枚の羽根３１，３２，３３，３４の先端が緩衝部材４７（図１及び図８（ｂ）参照）に当接して、後羽根群が停止した後も、後羽根用駆動部材１６は作動し、その駆動ピン１６ｂが緩衝部材４に当接した状態が図１２に示されている。従って、この状態においては、後羽根用駆動部材１６の取付部１６ｃは鉄片部材２３の頭部２３ｃから離れている。
【００４６】
その後、後羽根用駆動部材１６は、後羽根用駆動ばね２４と圧縮ばね２６の付勢力によって時計方向ヘ回転させられるが、その過程において、駆動ピン１６ｂの押動面１６ｂ1が主アーム２９の被押動部２９ｂを僅かに押す。そして、その直後に、取付部１６ｃが鉄片部材２３の頭部２３ｃに当接することによって、その後羽根用駆動部材１６の回転が停止される。また、このとき、主アーム２９の僅かな回転によって、後羽根群の羽根３１，３２，３３，３４が若干下方へ移動することになるが、露光開口を覆うような事態にはなっていない。このようにして、後羽根用駆動部材１６と後羽根群の静止した状態が図１３に示されており、この状態が露光作動開始直前の状態である。従って、露光開口は先羽根群の羽根３９，４０，４１，４２のみによって覆われている。
【００４７】
ところで、シャッタ地板１の長孔１ｃには、従来、緩衝部材３を取り付けることはあっても、緩衝部材４を取り付けるようなことはしていない。ところが、本実施例においては、この緩衝部材４を設けたことによって、二重遮光方式のシャッタとしての固有の作用効果が得られるようになっている。即ち、この緩衝部材４を設けていない場合には、上記のようにして後羽根用駆動部材１６が主アーム２９に押されて反時計方向ヘ回転したとき、長孔１ｃの上端部に勢い良く衝突することになるので、時計方向ヘ回転する段階においては、上記した各ばね２４，２６の付勢力の上に、その反作用としてのバウンド力が加わることになる。そのため、主アーム２９は、駆動ピン１６ｂによって押し跳ばされるようになる一方、取付部１６ｃが鉄片部材２３の頭部２３ｃに強く当接することになる。
【００４８】
その結果、セットばね３５の付勢力によって戻ってきた主アーム２９が、駆動ピン１６ｂに当接して安定状態になるまで時間、言い換えれば、主アーム２９が駆動ピン１６ｂによって押されてから、後羽根群が、露光作動開始位置で静止するまでの時間が、細かいバウンドが生じるようなことなどもあって、必要以上に長くなってしまうことになる。他方、取付部１６ｃが強い力で頭部２３ｃに当接する結果、後羽根用電磁石１４の保持力を大きくする必要があるし、電圧が若干でも降下した場合には後羽根用駆動部材１６を露光作動開始位置で停止させることができなくなってしまうことになる。しかし、本実施例の場合には、緩衝部材４を設けたことによって、反作用としてのバウンド力が緩和され、短時間で確実に図１３の状態を得ることが可能となる。
【００４９】
尚、本実施例のように、緩衝部材４を設けることなく、長孔１ｃの上端を長く伸ばすことによって、駆動ピン１６ｂが、その上端に当接しないように構成することも考えられるが、そのようにするには、鉄片部材２３の取付け構成が製作上非常に面倒となるし、また、仮にそのように製作したとしても、後羽根用駆動部材１６の往復作動時間が長くなってしまうという問題を生じるし、しかも、後羽根用駆動ばね２４のチャージ量が大きくなってしまって、結局は、駆動ピン１６ｂが大きな力で主アーム２９に当接してしまうことになる。そのため、本実施例のように構成するのが最善である。
【００５０】
このようにして、図１３に示した露光作動開始直前の状態が、早く確実に得られると、先ず、先羽根用電磁石１３のコイル１３ｂに対する通電が断たれる。すると、鉄片部材２０に対する保持力が失われ、先羽根用駆動部材１５が、先羽根用駆動ばね２１の付勢力によって時計方向へ回転を開始する。そのため、先羽根用駆動部材１５の駆動ピン１５ｂが、主アーム３７を時計方向へ回転させ、先羽根群の４枚の羽根３９，４０，４１，４２を下方へ作動させていく。その結果、羽根３９，４０，４１，４２は相互の重なり量を大きくして行き、スリット形成羽根４２の上側の縁であるスリット形成縁によって、露光開口を開いていく。そして、スリット形成羽根４２のスリット形成縁が、露光開口を完全に全開にした段階になると、先ず、先羽根用駆動部材１５の駆動ピン１５ｂが緩衝部材２に当接し、次に、主アーム３７の根元側の部位が緩衝部材８に当接し、最後に、重畳された４枚の羽根の作動方向の縁が緩衝部材４８に当接することによって停止する。その状態が、図１４に示されている。
【００５１】
上記のようにして、先羽根用電磁石１３のコイル１３ｂに対する通電が断たれてから所定時間が経過すると、今度は、後羽根用電磁石１４のコイル１４ｂに対する通電が断たれる。周知のように、実際には、コイル１４ｂに対する通電が断たれるタイミングは、撮影条件によって様々である。従って、むしろ、先羽根群の露光作動が終了する前に、コイル１４ｂへの通電が断たれることが多いが、本実施例の作動説明においては、説明の都合上、上記のように、先羽根群の露光作動が終了した後に、通電が断たれた場合で説明することにする。
【００５２】
そこで、後羽根用電磁石１４のコイル１４ｂに対する通電が断たれると、鉄片部材２３に対する保持力が失われることになるため、後羽根用駆動部材１６は、後羽根用駆動ばね２４の付勢力によって時計方向へ回転させられるが、このとき、駆動ピン１６ｂの押動面１６ｂ1が主アーム２９の被押動部２９ｂを押し、主アーム２９，従アーム３０を、セットばね３５の付勢力に抗して時計方向ヘ回転させ、後羽根群の４枚の羽根３１，３２，３３，３４を下方へ作動させる。そのため、４枚の羽根３１，３２，３３，３４は、相互の重なりを小さくしつつ、スリット形成羽根３４の下方の縁であるスリット形成縁によって、露光開口を閉じていく。
【００５３】
そして、４枚の羽根３１，３２，３３，３４が、露光開口を完全に閉じた段階になると、瞬間的なタイミングで、先ず、後羽根用駆動部材１６の駆動ピン１６ｂが緩衝部材３に当接し、次に、従アーム３０の張出部３０ｂが緩衝部材６に当接し、最後に、スリット形成羽根３４のスリット形成縁の先端が緩衝部材７に当接することによって停止し、露光作動が終了する。その露光作動終了直後の状態が、図１５に示されている。
【００５４】
次に、本実施例のセット作動を説明する。図１５に示された状態において、フィルムの巻き上げが行われると、それに連動して図示していないカメラ本体側の部材が、セット部材２７の被押動部２７ｄを押し、セット部材２７を、復帰ばね２８の付勢力に抗して時計方向ヘ回転させていく。それによって、先ず、セット部材２７の押動部２７ｂが、先羽根用駆動部材１５のローラ１９を押し、先羽根用駆動部材１５を、先羽根用駆動ばね２１の付勢力に抗して、反時計方向ヘ回転させていく。それによって、駆動ピン１５ｂが先羽根群の主アーム３７を反時計方向ヘ回転させることになるので、先羽根群の４枚の羽根３９，４０，４１，４２は、相互の重なり量を小さくしつつ上方へ作動されていく。
【００５５】
そして、先羽根群のスリット形成羽根４２と後羽根群のスリット形成羽根３４の重なり量が所定量に達すると、セット部材２７は、更に、押動部２７ｃによって、後羽根用駆動部材１６のローラ２２を押し、後羽根用駆動部材１６を、後羽根用駆動ばね２４の付勢力に抗して、反時計方向ヘ回転させていく。このとき、後羽根群の従アーム３０はセットばね３５によって反時計方向ヘ回転するように付勢されているため、主アーム２９と従アーム３０とは、主アーム２９の被押動部２９ｂと駆動ピン１６ｂの押動面１６ｂ1との接触を保ちながら、反時計方向ヘ回転しようとする。しかし、そのときには、既に、セット部材２７のピン２７ｆが、従アーム３０の腕部３０ｃの作動軌跡内に移動してきているため、従アーム３０は、僅かに回転した段階で、その傾斜面３０ｃ1がピン２７ｆに当接することになる。そのときの状態が図１６に示されている。
【００５６】
そして、その後は、セット部材２７の回転に伴って、ピン２７ｆが腕部３０ｃの傾斜面３０ｃ1を押すことになるので、従アーム３０は、セットばね３５の付勢力に抗して僅かに時計方向ヘ回転され、ピン２７ｆは、従アーム３０の長溝３０ｄの中に入っていく。従って、後羽根群の場合には、僅かにセット方向ヘ作動させられるが、その直後には、また、戻されてしまうことになる。そのため、セット作動時においては、先羽根用駆動部材１５と後羽根用駆動部材１６がセットされて行き、先羽根群の４枚の羽根３９，４０，４１，４２は展開されて、露光開口を覆っていくが、後羽根群の４枚の羽根３１，３２，３３，３４は、実質的に露光開口を覆った状態のままになっていることになる。
【００５７】
その後、先羽根群の羽根３９，４０，４１，４２が展開状態となって露光開口を覆い終わると、鉄片部材２０，２３の鉄片部２０ａ，２３ａは、相前後して各電磁石１３，１４の鉄芯１３ａ，１４ａに接触し、圧縮ばね２５，２６の付勢力に抗して、取付部１５ｃ，１６ｃの中に押し込まれるが、その僅かに押し込まれた段階で、セット部材２７の回転が停止されることによって、一連のセット作動が終了する。従って、セット部材２７は、セット作動終了後、直ちに初期位置へは復帰せず、次の撮影が行われるまで、図示していないカメラ本体側の部材によって、その位置を保たされることになる。そのセット状態が図１に示された状態である。
【００５８】
このように、本実施例においては、従来の二重遮光方式でないシャッタに比較して、特に部品点数が増えるわけではないので、コンパクトで低コストな二重遮光方式のシャッタが得られるという特徴がある。即ち、セット部材２７のピン２７ｆは、セット部材２７が初期位置に復帰し停止するための従来のピンと兼用させ、その長さを若干長くしただけである。また、セットばね３５は、従来のガタ寄せばねの付勢力を大きくしただけのものであり、ガタ寄せばねを兼用させたものである。更に、従アーム３０は、従来からの従アームのように、薄板材料の形状を一部変えるだけのものであるから、加工が極めて容易である。
【００５９】
尚、上記の実施例においては、セットばね３５が従アーム３０に掛けられていて、ガタ寄せばねを兼用しているが、兼用させない場合には、セットばね３５に相当するばねを主アーム２９に掛け、従来からのガタ寄せばねを従アーム３０に掛けるようにしても差し支えない。また、上記の実施例においては、セット部材２７が、セット時には、カメラ本体側の部材によって初期位置から動かされ、初期位置へは、復帰ばね２８の付勢力によって復帰するように構成されているが、本発明は、そのような構成に限定されず、セット部材２７に復帰ばね２８が掛けられてなく、初期位置からの往復作動を他の部材の往復作動に連動して作動させられるようにした構成にも適用することが可能である。
【００６０】
また、上記の実施例においては、セット作動時に、セット部材２７のピン２７ｆが従アーム３０の傾斜面３０ｃ1を押すことによって、若干反時計方向ヘ回転されている従アーム３０を時計方向ヘ押し戻すように構成されているが、特にそのような構成にすることもない。即ち、腕部３０ｃの先端には傾斜面３０ｃ1が形成されておらず、セット部材２７のピン２７ｆが長溝３０ｄに入った後、そのピン２７ｆに腕部３０ｃが当接し、従アーム３０の反時計方向ヘの回転が阻止されるようにしても差し支えない。但し、その場合には、タイミングの取り方によっては、スリット形成羽根３４のスリット形成縁が露光開口を開いた状態にせざるを得なくなる場合もあるが、その場合であっても、漏光は羽根相互の重なり部で生じることが多いため、先羽根群の羽根３９と羽根４０の重なり部を覆う状態になってさえいれば、それなりの遮光効果を得ることが可能である。
【００６１】
また、上記の実施例においては、シャッタ地板１と中間板３６との間を後羽根群の羽根室にしているが、これは、説明するまでもなく、セット部材２７のピン２７ｆと従アーム３０の長溝３０ｄとの連結関係を良好に得られ易くするためであり、その連結関係について、特に問題がないと判断した場合には、中間板３６と補助地板４６との間を、後羽根群の羽根室としても差し支えない。更に、上記の実施例は、本発明を二重遮光方式のシャッタに適用したものであるが、本発明は、二重遮光方式のシャッタに限定されるものではないし、また、何れか一方の羽根群に適用し、他方の羽根群には別の手段を講じるようにしても、一向に差し支えない。
【００６２】
【発明の効果】
以上のように、本発明によれば、羽根群のアームに掛けられているガタ寄せばねが、他方の羽根群側からアームに掛けられていても、そのガタ寄せばねのフックが地板に接触しないように構成されているので、羽根群の露光作動が安定して得られ且つ小型化もし易いという特徴を有している。
【図面の簡単な説明】
【図１】被写体側、即ち撮影レンズ側から視た実施例の平面図であって、セット状態、即ち二重遮光状態を示したものである。
【図２】実施例のシャッタ地板と、それに直接関連する部材を示した平面図である。
【図３】図３（ａ）〜図３（ｃ）は、図２に示したシャッタ地板の撮影レンズ側に取り付けられる部材のうち、一番撮影レンズ側に配置されるものから順に示した平面図である。
【図４】図４（ａ）〜図４（ｅ）は、シャッタ地板の撮影レンズ側に取り付けられる部材のうち、図３（ｃ）に示したものよりもシャッタ地板側に取り付けられる部材を、主に撮影レンズ側に配置されるものから順に図１の状態で示した平面図である。
【図５】図５（ａ）及び図５（ｂ）は、図１の状態における後羽根群とセットばねを示した平面図である。
【図６】実施例に用いられている中間板の平面図である。
【図７】図７（ａ）〜図７（ｃ）は、図１の状態における先羽根群と、先羽根群のガタ寄せばねと、先羽根群の羽根室の間隙を確保するための間座を示した平面図である。
【図８】図８（ａ）〜図８（ｃ）は先羽根群よりもフィルム面側に配置される部材を、先羽根群側から順に示した平面図である。
【図９】実施例の部分的な左側面図である。
【図１０】図１の左側の部分だけを拡大し、要部の構成が理解できるようにするために、図１に示されている一部の部材を取り外して示した平面図である。
【図１１】図１の左側の部分だけを拡大して示した平面図であって、二重遮光状態が解除された後の後羽根群の作動途中の状態を示している。
【図１２】図１の左側の部分だけを拡大して示した平面図であって、図１１に示した状態の直後の状態を示している。
【図１３】図１の左側の部分だけを拡大して示した平面図であって、露光作動開始直前の状態を示している。
【図１４】図１の左側の部分だけを拡大して示した平面図であって、露光作動中における露光開口の全開状態を示している。
【図１５】図１の左側の部分だけを拡大して示した平面図であって、露光作動終了直後の状態を示している。
【図１６】実施例において、セット作動の過程におけるセット部材と後羽根群との関係を、拡大して示した平面図である。
【符号の説明】
１                      シャッタ地板
１ａ，３６ａ，４６ａ    開口部
１ｂ，１ｃ，１ｄ，１ｅ，３６ｂ，３６ｃ  長孔
１ｆ，１ｇ，１ｈ，１ｉ  軸
１ｈ1，１ｉ1，１ｗ1   ねじ孔
１ｊ                    座ぐり部
１ｋ，１ｍ，１ｎ        肉厚部
１ｋ1，１ｋ2           係合部
１ｋ3，１ｋ4           斜面
１ｐ，１ｑ              棚部
１ｘ1                   間座部
２，３，４，５，６，７，８，４７，４８  緩衝部材
９                      支持板
９ａ，９ｂ，９ｃ，９ｄ，１０ａ，１０ｂ，１０ｃ，１０ｄ，２９ａ，３０ａ，３０ｅ，３６ｄ，３６ｅ，３７ａ，３７ｂ，３８ａ，３８ｂ，４５ａ，４５ｂ，４６ｂ，４６ｃ，４６ｄ，４６ｈ，４６ｉ  孔
９ｅ，９ｆ              爪部
９ｇ，１７ａ，１８ａ，２７ｅ  ばね掛け部
９ｈ，９ｉ，１５ｃ，１６ｃ  取付部
１０                    プリント配線板
１１，１２，４９，５０  ネジ
１３                    先羽根用電磁石
１３ａ，１４ａ          鉄芯
１３ｂ，１４ｂ          コイル
１４                    後羽根用電磁石
１５                    先羽根用駆動部材
１５ａ，１６ａ，２７ａ  筒部
１５ｂ，１６ｂ          駆動ピン
１６                    後羽根用駆動部材
１６ｂ1                 押動面
１７，１８              ラチェット車
１７ｂ，１８ｂ          歯部
１９，２２              ローラ
２０，２３              鉄片部材
２０ａ，２３ａ          鉄片部
２０ｂ，２３ｂ          軸部
２０ｃ，２３ｃ          頭部
２１                    先羽根用駆動ばね
２４                    後羽根用駆動ばね
２５，２６              圧縮ばね
２７                    セット部材
２７ｂ，２７ｃ          押動部
２７ｄ，２9ｂ          被押動部
２７ｆ                  ピン
２８                    復帰ばね
２９，３７              主アーム
３０，３８              従アーム
３０ｂ，３６ｆ          張出部
３０ｃ                  腕部
３０ｃ1                 傾斜面
３０ｄ                  長溝
３１，３２，３３，３４，３９，４０，４１，４２  羽根
３５                    セットばね
３６                    中間板
４３                    ガタ寄せばね
４４                    間座
４５                    先羽根用押さえ板
４６                    補助地板
４６ｅ，４６ｆ，４６ｇ，４６ｑ，４６ｒ  折曲部
４６ｊ，４６ｋ          フック部
４６ｍ，４６ｎ，４６ｐ  突出し部
４６ｓ                  逃げ溝
【図１】
0004293679.tif 000002
【図２】
0004293679.tif 000003
【図３】
0004293679.tif 000004
【図４】
0004293679.tif 000005
【図５】
0004293679.tif 000006
【図６】
0004293679.tif 000007
【図７】
0004293679.tif 000008
【図８】
0004293679.tif 000009
【図９】
0004293679.tif 000010
【図１０】
0004293679.tif 000011
【図１１】
0004293679.tif 000012
【図１２】
0004293679.tif 000013
【図１３】
0004293679.tif 000014
【図１４】
0004293679.tif 000015
【図１５】
0004293679.tif 000016
【図１６】
0004293679.tif 000017